(57)【要約】      （修正有）【課題】アンテナ指向性を調整可能なワイヤレスアクセスポイントシステム、無線信号基地局の指向性制御機能を備えるモバイルデバイス及び無線信号基地局のアンテナ指向性を最適化する方法を提供する。【解決手段】検出モードにおいて、モバイルデバイスは、無線信号基地局を制御して指定された指向性範囲内に基地局無線信号を発すると共に送信指向性を変更する。モバイルデバイスは、基地局無線信号を分析して最適な信号受信強度を持つ最適な指向性を得て、最適な指向性及び対応する地点によって地点リストを更新する。接続モードにおいて、モバイルデバイスは、地点リストから地点に対応する最適な指向性をローディングし、送信指向性をローディングされた最適な指向性に調整するよう制御する。【選択図】図１
2019083502.tif 000002
【特許請求の範囲】
【請求項１】
送信指向性を持つ基地局無線信号を発するための指向性アンテナユニットと、制御指令を受信して前記基地局無線信号の送信指向性を調整するためのアンテナ調整ユニットと、地点リストを保存し、前記地点リストが少なくとも１つの地点及び前記地点に対応する最適な指向性を記録する地点設定モジュールと、を含む無線信号基地局と、
前記基地局無線信号を受信し、また前記制御指令を発するための無線信号送受信機と、前記無線信号送受信機に接続し、前記基地局無線信号の信号受信強度及び対応する前記送信指向性を分析するための信号強度分析モジュールと、前記地点の入力を受信して前記制御指令を生成することで、前記アンテナ調整ユニットを制御して前記送信指向性を変更するために用いられ、かつ検出モードと接続モードとを備えるアンテナ制御モジュールと、を含み、前記無線信号基地局と無線通信リンクを確立するモバイルデバイスと、を包括する、アンテナ指向性を調整可能なワイヤレスアクセスポイントシステムであって、
前記検出モードにおいて、前記アンテナ制御モジュールは、前記無線信号基地局を制御して指定された指向性範囲内に前記基地局無線信号を発すると共に前記送信指向性を変更し、前記信号強度分析モジュールが前記基地局無線信号を分析して最適な信号受信強度を持つ前記最適な指向性が得られ、従って前記最適な指向性及び対応する前記地点によって地点リストを更新し、
前記接続モードにおいて、前記アンテナ制御モジュールは、前記地点の入力を受信し、また前記地点リストから前記地点に対応する最適な指向性をローディングし、前記送信指向性を制御して前記ローディングされた最適な指向性に調整することを特徴とする、
アンテナ指向性を調整可能なワイヤレスアクセスポイントシステム。
【請求項２】
前記指向性アンテナユニットは、少なくとも２つの指向性アンテナを含み、前記アンテナ調整ユニットが前記２つの指向性アンテナの信号出力を調整することで、前記基地局無線信号及び前記送信指向性を提供するために用いられることを特徴とする請求項１に記載のアンテナ指向性を調整可能なワイヤレスアクセスポイントシステム。
【請求項３】
前記指向性アンテナユニットは、少なくとも１つの指向性アンテナを含み、前記アンテナ調整ユニットが回転基台であり、前記指向性アンテナを載置すると共に前記基地局無線信号の送信指向性を調整することを特徴とする請求項１に記載のアンテナ指向性を調整可能なワイヤレスアクセスポイントシステム。
【請求項４】
前記地点設定モジュールは、前記無線信号基地局及び前記モバイルデバイスのいずれかに結合することを特徴とする請求項１に記載のアンテナ指向性を調整可能なワイヤレスアクセスポイントシステム。
【請求項５】
前記地点リストは、更に前記モバイルデバイスと前記無線信号基地局の各前記地点に無線通信リンクを確立するための地点使用回数を記録し、前記検出モードを行う前、前記無線信号基地局は前記地点使用回数が最多の地点に基づき、対応する前記最適な指向性をローディングすると共に前記基地局無線信号の送信指向性を調整することを特徴とする請求項１に記載のアンテナ指向性を調整可能なワイヤレスアクセスポイントシステム。
【請求項６】
無線信号基地局から送信された送信指向性を持つ基地局無線信号を受信し、前記無線信号基地局と無線通信リンクを確立するために用いられ、無線信号基地局の指向性制御機能を備えるモバイルデバイスであって、
前記モバイルデバイスは、
地点リストを保存し、前記地点リストが少なくとも１つの地点及び前記地点に対応する最適な指向性を記録する地点設定モジュールと、
前記基地局無線信号を受信し、また前記制御指令を発するための無線信号送受信機と、
前記無線信号送受信機に接続し、前記基地局無線信号の信号受信強度及び対応する前記送信指向性を分析するための信号強度分析モジュールと、
前記地点の入力を受信して前記制御指令を生成することで、前記アンテナ調整ユニットを制御して前記送信指向性を変更するために用いられ、かつ検出モードと接続モードとを備えるアンテナ制御モジュールと、を含み、
前記検出モードにおいて、前記アンテナ制御モジュールは、前記制御指令で前記無線信号基地局を制御して指定された指向性範囲内に前記基地局無線信号を発すると共に前記送信指向性を変更し、前記信号強度分析モジュールが前記無線信号送受信機を通じて前記基地局無線信号を受信して最適な信号受信強度を持つ最適な指向性が得られ、従って前記最適な指向性及び対応する前記地点によって前記地点リストを更新し、
前記接続モードにおいて、前記アンテナ制御モジュールは、前記地点の入力を受信し、また前記地点リストから前記地点に対応する前記最適な指向性をローディングし、前記無線信号基地局の前記基地局無線信号を送信する送信指向性をローディングされた前記最適な指向性に調整するよう制御することを特徴とする、
無線信号基地局の指向性制御機能を備えるモバイルデバイス。
【請求項７】
前記地点設定モジュールは、モバイルデバイスに結合することを特徴とする請求項６に記載の無線信号基地局の指向性制御機能を備えるモバイルデバイス。
【請求項８】
前記地点リストは、更に前記モバイルデバイスと前記無線信号基地局の各前記地点に無線通信リンクを確立するための地点使用回数を記録し、前記検出モードを行う前、前記無線信号基地局は前記地点使用回数が最多の地点に基づき、対応する前記最適な指向性をローディングすると共に前記基地局無線信号の送信指向性を調整することを特徴とする請求項６に記載の無線信号基地局の指向性制御機能を備えるモバイルデバイス。
【請求項９】
前記接続モードにおいて、入力した前記地点が前記地点リストに存在しない場合、前記アンテナ制御モジュールが前記接続モードを終了すると共に前記検出モードを起動させることを特徴とする請求項６に記載の無線信号基地局の指向性制御機能を備えるモバイルデバイス。
【請求項１０】
前記検出モードが実行された後、前記アンテナ制御モジュールが接続モードを実行することを特徴とする請求項６に記載の無線信号基地局の指向性制御機能を備えるモバイルデバイス。
【請求項１１】
前記アンテナ制御モジュールは、前記無線信号基地局の前記基地局無線信号を送信する送信指向性を前記ローディングされた最適な指向性に調整するよう制御した後、前記アンテナ制御モジュールが前記最適な指向性に準じて前記無線信号基地局を制御して補助指向性範囲内に前記送信指向性を変更し、前記信号強度分析モジュールで前記最適な指向性より優れた別の送信指向性の信号受信強度があるかどうかを分析し、あった場合、前記別の送信指向性で前記最適な指向性を代替すると共に前記地点リストを更新することを特徴とする請求項６に記載の無線信号基地局の指向性制御機能を備えるモバイルデバイス。
【請求項１２】
前記アンテナ制御モジュールは、前記最適な指向性及び対応する当該地点によって前記地点設定モジュールの地点リストを更新した時、同時に前記地点リストに対応の前記信号受信強度を書き込み、前記アンテナ制御モジュールは、前記無線信号基地局の前記基地局無線信号を送信する送信指向性を前記ローディングされた最適な指向性に調整するよう制御した後、前記信号強度分析モジュールで実際の信号受信強度と前記最適な指向性の対応する前記信号受信強度の間の差が閾値より大きいかを分析し、前記閾値より大きい場合、前記検出モードを再度実行することを特徴とする請求項６に記載の無線信号基地局の指向性制御機能を備えるモバイルデバイス。
【請求項１３】
無線信号基地局が発した基地局無線信号を受信するステップと、
地点の入力を受信し、地点リストに前記地点を更新するステップと、
制御指令を発して前記無線信号基地局を制御して指定された指向性範囲内に前記基地局無線信号を発すと共に送信指向性を変更するステップと、
前記基地局無線信号の信号受信強度及び対応する前記送信指向性を分析し、最適な信号受信強度を持つ最適な指向性が得られるステップと、
前記地点リスト内に前記最適な指向性と前記地点の対応関係を確立するステップと、を含むことを特徴とする、
無線信号基地局のアンテナ指向性を最適化する方法。
【請求項１４】
前記地点の入力を受信した後、前記地点が前記地点リストに存在するかどうかを照合し、前記地点が前記地点リストに存在しない場合、後続ステップを続行し、前記地点が前記地点リストに存在した場合、前記地点の入力によって前記地点リストから前記地点に対応する最適な指向性をローディングし、前記無線信号基地局を制御して前記送信指向性を前記ローディングされた最適な指向性に調整するステップを更に含むことを特徴とする請求項１３に記載の無線信号基地局のアンテナ指向性を最適化する方法。
【請求項１５】
前記地点リストは、更に前記無線信号基地局と各前記地点に前記無線通信リンクを確立するための地点使用回数を記録し、かつ前記地点の入力を受信する前、前記無線信号基地局は前記地点使用回数が最多の前記地点に基づき、対応する前記最適な指向性をローディングすると共に前記基地局無線信号の送信指向性を調整することを特徴とする請求項１４に記載の無線信号基地局のアンテナ指向性を最適化する方法。
【請求項１６】
前記基地局無線信号の送信指向性を前記ローディングされた最適な指向性に調整した後、前記最適な指向性に準じて補助指向性範囲内に前記送信指向性を変更し、前記最適な指向性より優れた別の送信指向性の信号受信強度があるかどうかを分析し、あった場合、前記別の送信指向性で前記最適な指向性を代替すると共に前記地点リストを更新するステップを更に含むことを特徴とする請求項１４に記載の無線信号基地局のアンテナ指向性を最適化する方法。
【請求項１７】
前記基地局無線信号の送信指向性を前記ローディングされた最適な指向性に調整した後、実際に受信した信号受信強度と前記最適な指向性の対応する前記信号受信強度の間の差が閾値より大きいかどうかを分析し、前記閾値より大きい場合、改めて前記最適な信号受信強度を持つ最適な指向性が取得し直すステップを更に含むことを特徴とする請求項１４に記載の無線信号基地局のアンテナ指向性を最適化する方法。
【発明の詳細な説明】
【技術分野】
【０００１】
本発明は、ワイヤレスアクセスポイントシステムの無線信号の調整に関し、特に、アンテナ指向性を調整可能なワイヤレスアクセスポイントシステム、無線信号基地局の指向性制御機能を備えるモバイルデバイス及び無線信号基地局のアンテナ指向性を最適化する方法に関する。
【背景技術】
【０００２】
例えばスマートフォン、タブレットコンピュータ等の手持ちのインターネットに接続するデバイスの普及につれ、無線ＬＡＮによるインターネット接続が既に幅広く応用されている。職場又は自宅は、インターネットに接続或いはＬＡＮを構築するため、無線ルータでワイヤレスアクセスポイントシステム（Ｗｉｒｅｌｅｓｓ  Ａｃｃｅｓｓ  Ｐｏｉｎｔ  Ｓｙｓｔｅｍ、ＷＡＰ  Ｓｙｓｔｅｍ）を自ら確立する。
無線ルータのアンテナは、通常指向性を持ち、その無線信号が特定の指向性において最適な信号受信強度を持たせる。ただし手持ちのインターネットに接続するデバイスは、異なる場所に移動するため、１箇所に定置して特定の指向に合わせることができない。特に、室内の場所は、常に電波の障害物が無線信号に対し遮蔽、屈射或いは反射する。
【０００３】
前記問題点は、送信電力の強化によって解決できるが、送信電力が法律上の制限を受けていて、一定の電力上限があり、無制限に電力を強化することはない。また、１つの手段として、無線ブリッジを別途設置し、個別エリア、場所に対し信号品質を向上しているが，無線ルータが遭遇した問題点に、無線ブリッジも遭遇してしまう。同時に、無線ブリッジもワイヤレスアクセスポイントシステムの構築コストが増していた。
【発明の概要】
【発明が解決しようとする課題】
【０００４】
そこで、本発明は、上記問題点に鑑み、アンテナ指向性を調整可能なワイヤレスアクセスポイントシステム、無線信号基地局の指向性制御機能を備えるモバイルデバイス及び無線信号基地局のアンテナ指向性を最適化する方法を提供する。
【課題を解決するための手段】
【０００５】
本発明の一つ又は複数の実施例は、アンテナ指向性を調整可能なワイヤレスアクセスポイントシステムを提供し、無線信号基地局と地点設定モジュールとモバイルデバイスとを含む。無線信号基地局は、指向性アンテナユニットとアンテナ調整ユニットとを備える。指向性アンテナユニットは、送信指向性を持つ基地局無線信号を発するために用いられ、アンテナ調整ユニットが制御指令を受信して基地局無線信号の送信指向性を調整するために用いられる。地点設定モジュールは、地点リストを保存し、地点リストが複数の地点及び各地点に対応する最適な指向性を記録する。モバイルデバイスは、無線信号基地局と無線通信リンクを確立し、かつモバイルデバイスが無線信号送受信機と信号強度分析モジュールとアンテナ制御モジュールとを備える。無線信号送受信機は、基地局無線信号を受信し、また制御指令を発するために用いられる。信号強度分析モジュールは、無線信号送受信機に接続し、基地局無線信号の信号受信強度及び対応する送信指向性を分析する。アンテナ制御モジュールは、地点の入力を受信して制御指令を生成することで、アンテナ調整ユニットを制御して送信指向性を変更するために用いられ、かつアンテナ制御モジュールが検出モードと接続モードとを備える。検出モードにおいて、アンテナ制御モジュールは、無線信号基地局を制御して指定された指向性範囲内に基地局無線信号を発すると共に送信指向性を変更し、信号強度分析モジュールが基地局無線信号を分析して最適な信号受信強度を持つ最適な指向性が得られ、従って最適な指向性及び対応する地点によって地点リストを更新する。接続モードにおいて、アンテナ制御モジュールは、地点の入力を受信し、また地点リストから地点に対応する最適な指向性をローディングし、送信指向性を制御してローディングされた最適な指向性に調整する。
【０００６】
本発明の一つ又は複数の実施例において、指向性アンテナユニットは、少なくとも２つの指向性アンテナを含み、アンテナ調整ユニットが２つの指向性アンテナの信号出力を調整することで、基地局無線信号及び送信指向性を提供するために用いられる。
【０００７】
本発明の一つ又は複数の実施例において、指向性アンテナユニットは、少なくとも１つの指向性アンテナを含み、アンテナ調整ユニットが回転基台であり、指向性アンテナを載置すると共に基地局無線信号の送信指向性を調整する。
【０００８】
本発明の一つ又は複数の実施例において、地点設定モジュールは、無線信号基地局及びモバイルデバイスのいずれかに結合する。
【０００９】
本発明の一つ又は複数の実施例において、地点リストは、更にモバイルデバイスと無線信号基地局の各地点に無線通信リンクを確立するための地点使用回数を記録し、検出モードを行う前、無線信号基地局は地点使用回数が最多の地点に基づき、対応する最適な指向性をローディングすると共に基地局無線信号の送信指向性を調整する。
【００１０】
本発明は、無線信号基地局から送信された送信指向性を持つ基地局無線信号を受信し、無線信号基地局と無線通信リンクを確立するために用いられ、無線信号基地局の指向性制御機能を備えるモバイルデバイスを更に提供する。モバイルデバイスは、地点設定モジュールと無線信号送受信機と信号強度分析モジュールとアンテナ制御モジュールとを含む。地点設定モジュールは、地点リストを保存し、地点リストが複数の地点及び各地点に対応する最適な指向性を記録する。無線信号送受信機は、基地局無線信号を受信し、また制御指令を発するために用いられる。信号強度分析モジュールは、無線信号送受信機に接続し、基地局無線信号の信号受信強度及び対応する送信指向性を分析する。アンテナ制御モジュールは、地点の入力を受信して制御指令を生成することで、アンテナ調整ユニットを制御して送信指向性を変更するために用いられ、かつアンテナ制御モジュールが検出モードと接続モードとを備える。検出モードにおいて、アンテナ制御モジュールは、制御指令で無線信号基地局を制御して指定された指向性範囲内に基地局無線信号を発すると共に送信指向性を変更し、信号強度分析モジュールが無線信号送受信機を通じて基地局無線信号を受信して最適な信号受信強度を持つ最適な指向性が得られ、従って最適な指向性及び対応する地点によって地点リストを更新する。接続モードにおいて、アンテナ制御モジュールは、地点の入力を受信し、また地点リストから地点に対応する最適な指向性をローディングし、無線信号基地局の基地局無線信号を送信する送信指向性をローディングされた最適な指向性に調整するよう制御する。
【００１１】
本発明の一つ又は複数の実施例において、地点設定モジュールは、モバイルデバイスに結合する。
【００１２】
本発明の一つ又は複数の実施例において、地点リストは、更にモバイルデバイスと無線信号基地局の各地点に無線通信リンクを確立するための地点使用回数を記録し、検出モードを行う前、無線信号基地局は地点使用回数が最多の地点に基づき、対応する最適な指向性をローディングすると共に基地局無線信号の送信指向性を調整する。
【００１３】
本発明の一つ又は複数の実施例において、接続モードで、入力した地点が地点リストに存在しない場合、アンテナ制御モジュールが接続モードを終了すると共に検出モードを起動させる。
【００１４】
本発明の一つ又は複数の実施例において、検出モードが実行された後、アンテナ制御モジュールが接続モードを実行する。
【００１５】
本発明の一つ又は複数の実施例において、アンテナ制御モジュールは、無線信号基地局の基地局無線信号を送信する送信指向性をローディングされた最適な指向性に調整するよう制御した後、アンテナ制御モジュールが最適な指向性に準じて無線信号基地局を制御して補助指向性範囲内に送信指向性を変更し、信号強度分析モジュールで最適な指向性より優れた別の送信指向性の信号受信強度があるかどうかを分析し、あった場合、別の送信指向性で最適な指向性を代替すると共に地点リストを更新する。
【００１６】
本発明の一つ又は複数の実施例において、アンテナ制御モジュールは、最適な指向性及び対応する地点によって地点設定モジュールの地点リストを更新した時、同時に地点リストに対応の信号受信強度を書き込み、アンテナ制御モジュールは、無線信号基地局の基地局無線信号を送信する送信指向性をローディングされた最適な指向性に調整するよう制御した後、信号強度分析モジュールで信号受信強度と最適な指向性の対応する信号受信強度の間の差が閾値より大きいかを分析し、閾値より大きい場合、検出モードを再度実行する。
【００１７】
本発明は、無線信号基地局が発した基地局無線信号を受信するステップと、地点の入力を受信し、地点リストに地点を更新するステップと、制御指令を発して無線信号基地局を制御して指定された指向性範囲内に基地局無線信号を発すと共に送信指向性を変更するステップと、基地局無線信号の信号受信強度及び対応する送信指向性を分析し、最適な信号受信強度を持つ最適な指向性が得られるステップと、地点リスト内に最適な指向性と地点の対応関係を確立するステップと、を含む無線信号基地局のアンテナ指向性を最適化する方法を更に提供する。
【００１８】
本発明の一つ又は複数の実施例において、無線信号基地局のアンテナ指向性を最適化する方法は、地点の入力を受信した後、地点が地点リストに存在するかどうかを照合し、地点が地点リストに存在しない場合、後続ステップを続行し、地点が地点リストに存在した場合、地点の入力によって地点リストから地点に対応する最適な指向性をローディングし、無線信号基地局を制御して送信指向性をローディングされた最適な指向性に調整するステップを更に含む。
【００１９】
本発明の一つ又は複数の実施例において、地点リストは、更にモバイルデバイスと無線信号基地局の各地点に無線通信リンクを確立するための地点使用回数を記録し、かつ地点の入力を受信する前、無線信号基地局は地点使用回数が最多の地点に基づき、対応する最適な指向性をローディングすると共に基地局無線信号の送信指向性を調整する。
【００２０】
本発明の一つ又は複数の実施例において、無線信号基地局のアンテナ指向性を最適化する方法は、基地局無線信号の送信指向性をローディングされた最適な指向性に調整した後、最適な指向性に準じて補助指向性範囲内に送信指向性を変更し、最適な指向性より優れた別の送信指向性の信号受信強度があるかどうかを分析し、あった場合、別の送信指向性で最適な指向性を代替すると共に地点リストを更新する。
【００２１】
本発明の一つ又は複数の実施例において、無線信号基地局のアンテナ指向性を最適化する方法は、基地局無線信号の送信指向性をローディングされた最適な指向性に調整した後、信号受信強度と最適な指向性の対応する信号受信強度の間の差が閾値より大きいかどうかを分析し、閾値より大きい場合、改めて最適な信号受信強度を持つ最適な指向性が取得し直すステップを更に含む。
【発明の効果】
【００２２】
上記で開示された技術的手段を通じて無線信号基地局の送信指向性は、モバイルデバイスの制御を受けて随時最適化又は受入可能な信号強度品質に調整できる（モバイルデバイスの現在地）。よって、信号受信地点の信号強度品質に対するマイナスの影響を、効果的に軽減させることができる。
【図面の簡単な説明】
【００２３】
【図１】本発明の実施例に係るアンテナ指向性を調整可能なワイヤレスアクセスポイントシステムの回路ブロック図である。
【図２】本発明の実施例に係る、アンテナ指向性を調整可能なワイヤレスアクセスポイントシステムを示す模式図である。
【図３】本発明の実施例に係る地点設定モジュール及び地点リストを示す模式図である。
【図４】本発明の実施例に係るモバイルデバイスの回路ブロック図である。
【図５】本発明の実施例に係る、無線信号基地局の回路ブロック図である。
【図６】本発明の別の実施例に係る無線信号基地局を示す模式図である。
【図７】本発明の更なる実施例に係る無線信号基地局の回路ブロック図である。
【図８】本発明の別の実施例に係るモバイルデバイスの回路ブロック図である。
【図９】本発明に係る無線信号基地局のアンテナ指向性を最適化する方法において、検出モードのフローである。
【図１０】本発明に係る無線信号基地局のアンテナ指向性を最適化する方法において、接続モードのフローチャートである。
【図１１】本発明に係る無線信号基地局のアンテナ指向性を最適化する方法において、接続モードのフローチャートである。
【図１２】本発明に係わる無線信号基地局のアンテナ指向性を最適化する方法において、別の一地点リストを示す模式図である。
【図１３】本発明に係る無線信号基地局のアンテナ指向性を最適化する方法において、別の接続モード実施形態のフローチャートである。
【図１４】本発明に係る無線信号基地局のアンテナ指向性を最適化する方法において、別の接続モード実施形態のフローチャートである。
【図１５】本発明に係わる無線信号基地局のアンテナ指向性を最適化する方法において、もう一つの接続モード実施方式のフローチャートである。
【図１６】本発明の実施例に係るモバイルデバイスによる信号受信強度の表示を示す模式図である。
【発明を実施するための形態】
【００２４】
図１を参照する。本発明の実施例に係るアンテナ指向性を調整可能なワイヤレスアクセスポイントシステム（Ｗｉｒｅｌｅｓｓ  Ａｃｃｅｓｓ  Ｐｏｉｎｔ  Ｓｙｓｔｅｍ、ＷＡＰ  Ｓｙｓｔｅｍ）の回路ブロック図で、ワイヤレスアクセスポイントシステムは、無線信号基地局１００と地点設定モジュール２００とモバイルデバイス３００とを含む。
図２に示すように、前記モバイルデバイス３００は、実際複数の地点（Ｐ１〜Ｐ６）の間を移動するため、無線信号基地局１００の無線信号送受信範囲が前記複数の地点（Ｐ１〜Ｐ６）をカバーするが、各地点（Ｐ１〜Ｐ６）に対応する無線信号基地局１００も異なる可能性があり、モバイルデバイス３００は、地点（Ｐ１〜Ｐ６）の違いにより、現在地（Ｐ１〜Ｐ６）のワイヤレスアクセスポイントシステムを制御することで、無線信号基地局１００のアンテナ指向性を調整できる。
具体的な応用例において、無線信号基地局１００は、家庭用無線ルータで、モバイルデバイス３００が無線ＬＡＮによるインターネット接続デバイスであり、モバイルデバイス３００は、無線信号基地局１００と無線通信リンクを確立するために用いられる。モバイルデバイス３００は、スマートフォン、タブレットコンピュータ或いはノートパソコンを含むがこれに限定されず、地点（Ｐ１〜Ｐ６）が家庭内の異なる生活エリア（異なる部屋）である。
【００２５】
図１に示すように、無線信号基地局１００は、指向性アンテナユニット１１０とアンテナ調整ユニット１２０とを備える。指向性アンテナユニット１１０は、送信指向性Ｖを持つ基地局無線信号Ｓを発するために用いられ、アンテナ調整ユニット１２０が制御指令Ｃを受信して指向性アンテナユニット１１０を調整することで、基地局無線信号の送信指向性Ｖを調整するために用いられる。送信指向性Ｖを調整する方式は、機械式調整及び電子式調整が挙げられ、指向性アンテナユニット１１０のタイプによって決定する。
【００２６】
図１及び図３に示すように、地点設定モジュール２００は、地点リスト２１０を保存し、地点リスト２１０に複数の地点（Ｐ１〜Ｐ６）、各地点（Ｐ１〜Ｐ６）に対応する最適な指向性（Ｖｂ１〜Ｖｂ６）及び最適な信号強度（ＳＬ１〜ＳＬ６）を記録する。
【００２７】
図１及び図４に示すように、モバイルデバイス３００は、無線信号送受信機３１０と信号強度分析モジュール３２０とアンテナ制御モジュール３３０とを備える。無線信号送受信機３１０は、基地局無線信号Ｓを受信するために用いられ、かつ制御指令Ｃを発するためにも用いられ、信号強度分析モジュール３２０が無線信号送受信機３１０に接続し、基地局無線信号Ｓの信号受信強度及び対応する送信指向性Ｖを分析するために用いられる。
【００２８】
アンテナ制御モジュール３３０は、地点（Ｐ１〜Ｐ６）の入力を受信するために用いられる。前記地点は、通常ユーザーが現在地（Ｐ１〜Ｐ６）の詳細情報を手動で入力し、また自動検出を通じることができ、例えば現在地（Ｐ１〜Ｐ６）を判断するため、各地点（Ｐ１〜Ｐ６）付近に、無線通信型の識別タグ（Ｒａｄｉｏ  Ｆｒｅｑｕｅｎｃｙ  Ｉｄｅｎｔｉｆｉｃａｔｉｏｎ、ＲＦＩＤ）を設けてモバイルデバイス３００の検出のため供する。
ユーザーが手動で入力した時、地点（Ｐ１〜Ｐ６）は、リストから選択できる。例えば、家庭内にアンテナ指向性を調整可能なワイヤレスアクセスポイントシステムを設置した時、まず家庭内を異なる生活エリア（複数の地点Ｐ１〜Ｐ６）として企画してから選択リストでこれらの地点（Ｐ１〜Ｐ６）を記録し、モバイルデバイス３００のユーザーは、選択リストを通じて自分の現在地（Ｐ１〜Ｐ６）を選択できる。アンテナ制御モジュール３３０の主な機能は、制御指令Ｃを発してアンテナ調整ユニット１２０を制御することで、送信指向性Ｖを変更し、かつアンテナ制御モジュール３３０がアンテナ調整ユニット１２０を制御するモードは、検出モードと接続モードとを含む。
【００２９】
図２及び図３に示すように、モバイルデバイス３００が地点リスト２１０にない地点（Ｐ１〜Ｐ６）に着いた時、検出モードを起動できる。検出モードにおいて、アンテナ制御モジュール３３０は、無線信号送受信機３１０によって制御指令Ｃを発して無線信号基地局１００を制御して指定された指向性範囲内に基地局無線信号Ｓを発するとともに送信指向性Ｖを変更し、例えば送信指向性Ｖを１回３６０度水平回転してから送信指向性Ｖを１回１８０度回転する。
無線信号送受信機３１０は、基地局無線信号Ｓを連続受信でき、又は一定の角度差をつけて基地局無線信号Ｓをサンプリングしてから信号強度分析モジュール３２０に伝送する。信号強度分析モジュール３２０は、連続受信した基地局無線信号Ｓを分析して最適な信号強度（ＳＬ１〜ＳＬ６）を持つ送信指向性Ｖが得られて最適な指向性（Ｖｂ１〜Ｖｂ６）とすることで、最適な指向性（Ｖｂ１〜Ｖｂ６）、対応する地点（Ｐ１〜Ｐ６）及び最適な信号強度（ＳＬ１〜ＳＬ６）を地点設定モジュール２００の地点リスト２１０を対応して更新できる。当然、地点（Ｐ１〜Ｐ６）を地点リスト２１０に保存する時、モバイルデバイス３００は、依然として自動或いはユーザーの手動操作で検出モードを起動できる。
【００３０】
図２及び図３に示すように、現在地（Ｐ１〜Ｐ６）を地点リスト２１０に保存管した時、モバイルデバイス３００は、接続モードを直接行うことができる。
ユーザーが手動で入力又は現在地（Ｐ１〜Ｐ６のいずれか）を選択した後、アンテナ制御モジュール３３０が現在地（Ｐ１〜Ｐ６）の入力を受信し、また現在地（Ｐ１〜Ｐ６）の入力により、地点設定モジュール２００の地点リスト２１０から現在地（Ｐ１〜Ｐ６）に対応する最適な指向性（Ｖｂ１〜Ｖｂ６）をローディングし、制御指令Ｃを発して指向性アンテナ１１２ａの基地局無線信号Ｓを送信する送信指向性Ｖをローディングされた最適な指向性（Ｖｂ１〜Ｖｂ６）に調整するよう制御する。この時、モバイルデバイス３００と無線信号基地局１００の間において接続品質がより優れた無線通信リンクを直接確立できる。
【００３１】
図５を参照する。本発明の一つ又は複数の実施例において、指向性アンテナユニット１１０は、２つ以上の指向性アンテナ１１２ａを含み、各指向性アンテナ１１２ａが固定送信指向性Ｖを持ち、又は異なる基準平面（例えば水平面及び垂直面）において送信指向性Ｖを変更できる。この種の指向性アンテナ１１２ａは、ＰＣＢ  ＰＩＦＡ（ＰＣＢ  Ｐｌａｎａｒ  ｉｎｖｅｒｔｅｄ−Ｆ  ａｎｔｅｎｎａ、プリント回路基板板状逆Ｆアンテナ）、或いは他のアンテナ、例えば、Ｄｉｐｏｌｅアンテナ若しくはＭｏｎｏｐｏｌｅアンテナとすることができる。複数の指向性アンテナ１１２ａは、アンテナ調整ユニット１２０に接続する。アンテナ調整ユニット１２０は、基地局無線信号Ｓ及び送信指向性Ｖを提供するため、多重制御線路を通じてアンテナ位置を切り換えることで、２つの指向性アンテナ１１２ａの信号出力、例えば各アンテナの信号強度及び指向性を調整する。
【００３２】
図６を参照する。本発明の一つ又は複数の実施例において、指向性アンテナユニット１１０は、機械式指向性アンテナユニットであり、かつ指向性アンテナユニット１１０が指向性アンテナである。アンテナ調整ユニット１２０は、単軸或いは多軸の回転基台で、指向性アンテナを載置すると共に指向性アンテナが発する基地局無線信号Ｓの送信指向性Ｖを調整する。
【００３３】
図７及び図８に示すように、地点設定モジュール２００は、主に地点リスト２１０を保存し、かつ地点リスト２１０が更新されることができ、或いはモバイルデバイス３００にローディングさせることができる。
【００３４】
図７に示すように、本発明の一つ又は複数の実施例において、地点設定モジュール２００は、無線信号基地局１００に結合する。結合方式は、内蔵するソフトウェア又はハードウェアモジュール、或いは外付型取り外し可能なストレージデバイスとすることができる。モバイルデバイス３００と無線信号基地局１００が無線通信リンクを確立した後、モバイルデバイス３００が無線伝送方式で無線信号基地局１００を通じて地点リスト２１０を取得する。
図９の実施例において、地点設定モジュール２００は、複数の地点リスト２１０を保存でき、各々異なるモバイルデバイス３００に属する。
【００３５】
図８に示すように、本発明の一つ又は複数の実施例において、地点設定モジュール２００は、モバイルデバイス３００に結合し、モバイルデバイス３００自体に専属する地点リスト２１０を保存するが、この地点リスト２１０が異なる無線信号基地局１００の送信指向性Ｖの設定を含むことができる。よって、図８の実施例では、無線信号基地局１００の指向性制御機能を備えるモバイルデバイス３００を提供し、無線信号送受信機３１０と信号強度分析モジュール３２０と地点設定モジュール２００とアンテナ制御モジュール３３０とを含み、かつアンテナ制御モジュール３３０が検出モードと接続モードとを備える。
図８の実施例において、地点設定モジュール２００は、モバイルデバイス３００に内蔵するソフトウェア又はハードウェアモジュールとすることができ、外付型取り外し可能なストレージデバイスとしてもよい。実際、信号強度分析モジュール３２０、アンテナ制御モジュール３３０及び地点設定モジュール２００は、ソフトウェアモジュール方式を通じて構築することができ、従って単一のアプリのソフトウェアとして統合してモバイルデバイス３００にインストールすることで、無線信号送受信機３１０及びモバイルデバイス３００の他のハードウェア資源を呼び出して対応するソフトウェアモジュールを構築する。
【００３６】
図９を参照する。本発明の一つ又は複数の実施例は、無線信号基地局１００のアンテナ指向性を最適化する方法を更に開示し、そのステップの説明は次の通りである。
【００３７】
まず、ステップＳｔｅｐ１０１に示すように、モバイルデバイス３００が無線信号基地局１００の伝送範囲に入った時、モバイルデバイス３００は、無線信号送受信機３１０を通じて初期化信号を発することができ、無線信号基地局１００とハンドシェイクプロセスを行うことで通信接続を確立することで、モバイルデバイス３００と無線信号基地局１００の間の接続を初期化する。
【００３８】
次にステップＳｔｅｐ１１０に示すように、モバイルデバイス３００で無線信号基地局１００から発せられた基地局無線信号Ｓを受信する。前記基地局無線信号Ｓ内には、例えば参照信号強度、送信指向性Ｖ等といった信号送信に関するパラメータが含まれる。
【００３９】
次に、ステップＳｔｅｐ１２０のように、ユーザーの入力又は他の地点の検出手段によって、モバイルデバイス３００が地点（Ｐ１〜Ｐ６）の入力を受信し、地点リスト２１０で地点（Ｐ１〜Ｐ６）を更新する。前記ステップＳｔｅｐ１１０及びＳｔｅｐ１２０の実行順序は、随意に変換でき、更に同時に実行することもできる。
前記地点リスト２１０で地点（Ｐ１〜Ｐ６）を更新するのは、地点リスト２１０に記録した地点（Ｐ１〜Ｐ６）内に現在地（Ｐ１〜Ｐ６）と一致するものがあるかどうかを確認し、一致していない場合、現在地（Ｐ１〜Ｐ６）を地点リスト２１０内に書き込んで１件の地点（Ｐ１〜Ｐ６）記録とすることを意味する。
【００４０】
モバイルデバイス３００は、検出モードを実行する。ステップＳｔｅｐ１３０に示すように、モバイルデバイス３００は、制御指令Ｃを発して無線信号基地局１００を制御して指定された指向性範囲内に基地局無線信号Ｓを発すると共に送信指向性Ｖを変更する。前記指定される指向性範囲は、垂直及び水平の方向において一定の角度範囲を設定でき、また送信指向性Ｖの変化可能な最大範囲内（例えば、垂直１８０度及び水平３６０度）に完全な変化を行ってもよい。送信指向性Ｖのパラメータは、データパケットにパッケージ化されて基地局無線信号Ｓに伴って発することができる。
【００４１】
無線信号基地局１００は、基地局無線信号Ｓを連続して発し、かつ送信指向性Ｖを変更すると同時に、モバイルデバイス３００が無線信号送受信機３１０で基地局無線信号Ｓを受信して信号強度分析モジュール３２０に伝送する。信号強度分析モジュール３２０は、基地局無線信号Ｓを受信した後、データバケット内から送信指向性Ｖを解析することで、基地局無線信号Ｓの信号受信強度及び対応する送信指向性Ｖを分析する。最後にステップＳｔｅｐ１４０のように信号強度分析モジュール３２０が複数の信号受信強度及び対応する送信指向性Ｖ内から最適な信号受信強度を持つ最適な指向性Ｖｂを得る。
【００４２】
最後に、ステップＳｔｅｐ１５０のように信号強度分析モジュール３２０は、地点リスト２１０において最適な指向性Ｖｂを更新し、また地点リスト２１０内に最適な指向性Ｖｂと現在地（Ｐ１〜Ｐ６）の対応関係を確立する。
【００４３】
上記ステップＳｔｅｐ１１０乃至ステップＳｔｅｐ１５０を通じて、モバイルデバイス３００は、検出モードの実行を完了させることができる。
【００４４】
図１０を参照する。本発明の一つ又は複数の実施例において、ステップＳｔｅｐ１２０は、更に次のサブステップに細分化されることができる。
【００４５】
ステップＳｔｅｐ１２２に示すように、地点（Ｐ１〜Ｐ６）の入力を受信した後、地点（Ｐ１〜Ｐ６）が地点リスト２１０に存在するかどうかを照合する。
【００４６】
ステップＳｔｅｐ１２２の照合において、地点（Ｐ１〜Ｐ６）が地点リスト２１０に存在しなかった場合、後続ステップを続行（Ｓｔｅｐ１３０の後のステップを実行）することで、検出モードを完了させる。
【００４７】
ステップＳｔｅｐ１２２の照合において、地点（Ｐ１〜Ｐ６）が地点リスト２１０に存在した場合、検出モードを停止して接続モードを起動させる。
【００４８】
図１１及び図１２を参照する。ステップＳｔｅｐ２１０に示すように、接続モードにおいて、地点（Ｐ１〜Ｐ６）の入力に基づき、地点リスト２１０から地点（Ｐ１〜Ｐ６）に対応する最適な指向性Ｖｂをローディングする。次に、ステップＳｔｅｐ２２０に示すように、無線信号基地局１００を制御して送信指向性Ｖをローディングされた最適な指向性Ｖｂに調整する。
【００４９】
図１０、図１１及び図１２に示すように、実際、完全な接続モードは、やはりステップＳｔｅｐ１０１から開始される。よって、入力した地点（Ｐ１〜Ｐ６）が地点リスト２１０に存在しない場合、ステップＳｔｅｐ１２２からＳｔｅｐ１３０にジャンプし、検出モードの実行に変更し、すなわち、ステップＳｔｅｐ１３０以降のステップを実行する。
【００５０】
図１０、図１１及び図１２に示すように、実際、ステップＳｔｅｐ１５０の後で、接続モードの起動を直接実行することもでき、無線信号基地局１００を制御して送信指向性Ｖをローディングされた最適な指向性Ｖｂに調整する。
【００５１】
図１２に示すように、地点（Ｐ１〜Ｐ６）、各地点（Ｐ１〜Ｐ６）に対応する最適な指向性（Ｖｂ１〜Ｖｂ６）及び最適な信号強度（ＳＬ１〜ＳＬ６）以外に、地点リスト２１０は、更にモバイルデバイス３００と無線信号基地局１００の各地点に該無線通信リンクを確立するための地点使用回数（Ｆｒ１〜Ｆｒ６）を記録する。検出モードの前、すなわち、地点（Ｐ１〜Ｐ６）の入力を受信する前、該無線信号基地局１００は、地点使用回数（Ｆｒ１〜Ｆｒ６）が最多の地点（Ｐ１〜Ｐ６）に基づき、対応する最適な指向性（Ｖｂ１〜Ｖｂ６）をローディングすると共に基地局無線信号の送信指向性を調整する。
【００５２】
図１３に示すように、モバイルデバイス３００のアンテナ制御モジュール３３０は、地点リスト２１０及び入力された地点（Ｐ１〜Ｐ６）を通じて、最適な指向性（Ｖｂ１〜Ｖｂ６）を直接ローディングすることで、無線基信号基地局１００の指向性アンテナ１１２ａを制御し、送信指向性Ｖをローディングされた最適な指向性（Ｖｂ１〜Ｖｂ６）に調整できる。モバイルデバイス３００のアンテナ制御モジュール３３０は、ステップＳｔｅｐ２３０のようにやはり最適な指向性（Ｖｂ１〜Ｖｂ６）に準じて無線基信号基地局１００の指向性アンテナ１１２ａを制御して補助指向性範囲内に送信指向性Ｖを変更できる。補助指向性範囲は、送信指向性Ｖの小幅な変更を意味し、例えば最適な指向性（Ｖｂ１〜Ｖｂ６）に準じ、水平及び仰角方向において小角度（例えば４５度以下）の送信指向性の変更を行う。
次に、ステップＳｔｅｐ２４０に示すように、モバイルデバイス３００は、信号強度分析モジュール３２０で補助指向性範囲内に最適な指向性（Ｖｂ１〜Ｖｂ６）より優れた別の送信指向性Ｖの信号受信強度があるかどうかを分析し、あった場合、ステップＳｔｅｐ２５０に示すように別の送信指向性Ｖ及び対応する信号強度で最適な指向性Ｖｂ及び最適な信号強度（ＳＬ１〜ＳＬ６）を代替すると共に地点リスト２１０を更新する。こうして各最適な指向性（Ｖｂ１〜Ｖｂ６）が随時更新されて最適な状態に維持させることを確保し、無線信号基地局１００或いはモバイルデバイス３００の無線送受信特性がソフトやハードウェアの変更、環境変化に伴って変更する可能性のある状況に対応させることができる。
【００５３】
図１２及び図１４に示すように、検出モードにおいて、アンテナ制御モジュール３３０は、最適な指向性（Ｖｂ１〜Ｖｂ６）及び対応する地点（Ｐ１〜ｐ６）に基づいて地点設定モジュール２００の地点リスト２１０を更新しながら地点リスト２１０に対応の信号受信強度（ＳＬ１〜ＳＬ６）を書き込む。
ステップＳｔｅｐ２６０のように、接続モードにおいて、基地局無線信号Ｓの送信指向性Ｖをローディングされた最適な指向性（Ｖｂ１〜Ｖｂ６）に調整した後（ステップＳｔｅｐ２２０）、モバイルデバイス３００の信号強度分析モジュール３２０は、やはり実際の信号受信強度と最適な指向性（Ｖｂ１〜Ｖｂ６）に対応する信号受信強度（ＳＬ１〜ＳＬ６）の間の差が閾値より大きいかどうかを分析できる。差が閾値より大きい場合、既存の最適な指向性（Ｖｂ１〜Ｖｂ６）が既に不適用であることを示し、モバイルデバイス３００が改めて最適な信号受信強度を持つ最適な指向性（Ｖｂ１〜Ｖｂ６）を得直し、すなわち、ステップＳｔｅｐ１３０から検出モードを実行する。
【００５４】
図１５及び図１６を参照する。ステップＳｔｅｐ２６０において、差が閾値より大きい場合も、ステップＳｔｅｐ２７２に示すように、信号受信強度（ＳＬ１〜ＳＬ６）情報を出力して、モバイルデバイス３００のディスプレイインターフェースに表示できる。
図１６に示すように、表示される情報には、無線信号基地局１００の名称、伝送速度、信号受信強度、トラフィック、接続時間、地点使用回数（Ｆｒ１〜Ｆｒ６）が挙げられる他の情報を含むことができる。信号受信強度は、絶対数値を表示するとは限らず、レベル（Ｌｅｖｅｌ）で表示してもよい。
【００５５】
この時、ステップＳｔｅｐ２７４及びステップＳｔｅｐ２７６に示すように、モバイルデバイス３００は、手動調整命令を受信して無線信号基地局１００を制御して送信指向性Ｖを調整できる。ユーザーは、繰り返し調整して最適な接続強度が得られた後、調整（Ｓｔｅｐ２７８）を終えることができる。
【００５６】
上記で開示された技術的手段を通じて無線信号基地局１００の送信指向性は、モバイルデバイス３００の制御を受けて随時最適化又は受入可能な信号強度品質に調整できる（モバイルデバイス３００の現在地）。よって、信号受信地点の信号強度品質に対するマイナスの影響を、効果的に軽減させることができる。
【符号の説明】
【００５７】
１００  無線信号基地局
１１０  指向性アンテナユニット
１１２ａ  指向性アンテナ
１２０  アンテナ調整ユニット
２００  地点設定モジュール
２１０  地点リスト
３００  モバイルデバイス
３１０  無線信号送受信機
３２０  信号強度分析モジュール
３３０  アンテナ制御モジュール
Ｃ  制御指令
Ｐ１−Ｐ６  地点
Ｓ  基地局無線信号
Ｖ，Ｖ１−Ｖ６  送信指向性
Ｖｂ１−Ｖｂ６  最適な指向性
ＳＬ１−ＳＬ６  最適な受信強度
Ｆｒ１−Ｆｒ６  地点使用回数
Ｓｔｅｐ１０１〜Ｓｔｅｐ２７８  ステップ
【図１】
2019083502.tif 000003
【図２】
2019083502.tif 000004
【図３】
2019083502.tif 000005
【図４】
2019083502.tif 000006
【図５】
2019083502.tif 000007
【図６】
2019083502.tif 000008
【図７】
2019083502.tif 000009
【図８】
2019083502.tif 000010
【図９】
2019083502.tif 000011
【図１０】
2019083502.tif 000012
【図１１】
2019083502.tif 000013
【図１２】
2019083502.tif 000014
【図１３】
2019083502.tif 000015
【図１４】
2019083502.tif 000016
【図１５】
2019083502.tif 000017
【図１６】
2019083502.tif 000018